(57)【要約】【課題】特に注射器の使用安全性を向上させることができる注射針用安全カバーを提供する。【解決手段】注射針を収容するための本体と、片手で持てる少なくとも１つの握持部とを有し、該本体は、開口端と、閉鎖端と、内部に形成され、該開口端と閉鎖端との間に位置する収容空間とを備え、該握持部は、外端及び本体に形成される延出部材を備えることを特徴とする。【選択図】図１
2011212375.tif 000002
【特許請求の範囲】
【請求項１】
開口端と、閉鎖端と、内部に形成されると共に、該開口端と閉鎖端との間に位置する収容空間とを備える本体と、
外端を有する延出部材を備え、該本体に結合される少なくとも１つの握持部とを有することを特徴とする注射針用安全カバー。
【請求項２】
前記開口端と閉鎖端との間に、前記本体を湾曲可能とする曲げ部が設けられることを特徴とする請求項１に記載の注射針用安全カバー。
【請求項３】
前記曲げ部は、前記本体の一部を構成する湾曲可能な蛇腹構造であることを特徴とする請求項２に記載の注射針用安全カバー。
【請求項４】
前記曲げ部は、前記本体の肉厚より薄い湾曲可能な構成であることを特徴とする請求項２に記載の注射針用安全カバー。
【請求項５】
前記握持部は、手で持つために、前記外端に持ち部が設けられることを特徴とする請求項３又は請求項４に記載の注射針用安全カバー。
【請求項６】
前記延出部材は、前記本体から軸方向に沿って延出することを特徴とする請求項５に記載の注射針用安全カバー。
【請求項７】
前記延出部材は、前記本体から径方向に沿って延出することを特徴とする請求項５に記載の注射針用安全カバー。
【請求項８】
前記握持部は、前記本体の開口端と延出部材との間に設けられると共に、該本体の開口端から径方向に沿って延出する連結板を備えることを特徴とする請求項５に記載の注射針用安全カバー。
【請求項９】
前記本体は、開口端に漏斗状の上部カバーが設けられると共に、該上部カバーから軸方向に沿って前記延出部材が延出することを特徴とする請求項６に記載の注射針用安全カバー。
【請求項１０】
前記本体は、開口端に漏斗状の上部カバーが設けられると共に、該上部カバーから径方向に沿って前記延出部品が延出することを特徴とする請求項７に記載の注射針用安全カバー。
【発明の詳細な説明】
【技術分野】
【０００１】
本発明は、特に注射針を安全性を高め、注射針の再使用を防ぐための注射針用安全カバーに関するものである。
【背景技術】
【０００２】
従来の注射器用針には、静脈注射用、頭皮注射用、採血用などがある。また、従来の注射器は、シリンダと、該シリンダの前端に設置される注射針と、該注射針の外部に被装される針カバーとを有し、使用する時には、医療従事者が、注射針の事故による感染がよく見受けられることから、医療従事者に針刺などの事故が発生しないように、注射筒を持ちながら慎重にカバーを取り外し、注射の行為を行っている。
【０００３】
従来の注射器には、元々注射針用のカバーがあるが、カバーから取り外す際に、誤って自分の手を刺してしまうことがよくあった。さらに、使用した注射器は、安全性のために、カバーを再度シリンダ上に取り付けて注射針をカバーする必要があるが、その時にも、不注意で針刺してしまうことがよくあった。
【０００４】
また、注射行為をした注射器は、悪質な事業者が廃棄した注射器を回収して再使用することを防ぐためにも、安全性及び環境汚染を考慮して、必ずカバーを取り付けてから廃棄しなければならない。
【発明の概要】
【発明が解決しようとする課題】
【０００５】
このように、従来の注射器は、注射針をカバーしているが、カバーを取り外す時、または、シリンダに取り付ける時、不注意により針刺してしまうことがよくあり、さらに、悪質な事業者においては、使用済みの注射器を回収して再使用しているといった問題があった。
【課題を解決するための手段】
【０００６】
本願の請求項１の発明は、開口端と、閉鎖端と、内部に形成され、該開口端と閉鎖端との間に位置する、注射針を収容するための収容空間とを備える本体と、
注射器を使用する時に、注射針が手に刺さることなく片手で持てる少なくとも１つの握持部とを有し、
前記握持部は、該本体に結合されると共に、外端及び前記本体に形成される延出部材を備えるものである。
【０００７】
本願の請求項１の発明に記載の注射針用安全カバーは、使用済み注射針の再利用を防ぐために、開口端と閉鎖端との間に、本体を湾曲可能にするための曲げ部が形成されている。
【０００８】
さらに、本願の請求項２の発明に記載の注射針用安全カバーにおける曲げ部は、前記本体の一部に湾曲可能な蛇腹構造が形成されている。
【０００９】
また、本願の請求項２の発明に記載の注射針用安全カバーにおける曲げ部は、本体の肉厚より薄い、湾曲可能な構成である。
【００１０】
尚、前記握持部は、片手で簡単に持てるように、前記外端に持ち部を備えることが好ましい。
【００１１】
尚、前記延出部材は、前記本体から軸方向に沿って延出することが好ましい。
【００１２】
尚、前記延出部材は、前記本体から径方向に沿って延出してもよい。
【００１３】
尚、大型の注射器に対応するために、前記握持部が、前記本体の開口端と延出部材との間に設けられると共に、該本体の開口端から径方向に沿って連結板が延出することが好ましい。
【００１４】
尚、前記本体は、開口端に形成される漏斗状の上部カバーを有すると共に、該上部カバーから軸方向に沿って延出部材が延出してもよい。
【００１５】
尚、前記本体は、開口端に形成される漏斗状の上部カバーを有すると共に、該上部カバーから径方向に沿って延出部材が延出してもよい。
【発明の効果】
【００１６】
本願に係る注射針用安全カバーは上記の課題を解決するものであるので、注射器の使用時に、カバーを持つ手に注射針が刺さられない安全構造を有すると共に、使用済み注射器の注射針を折り曲げて再利用できなくする注射針用安全カバーを提供する。
【図面の簡単な説明】
【００１７】
【図１】本発明に係る注射針用安全カバーの第一実施例を示す斜視図である。
【図２】本発明に係る注射針用安全カバーの第二実施例を示す部分分解図である。
【図３】本発明に係る注射針用安全カバーの第二実施例を示す断面図である。
【図４】本発明に係る注射針用安全カバーにおける第二実施例の使用方法を示す斜視図である。
【図５】本発明に係る注射針用安全カバーの第三実施例を示す斜視図である。
【図６】本発明に係る注射針用安全カバーの第四実施例を示す斜視図である。
【図７】本発明に係る注射針用安全カバーの第五実施例を示す斜視図である。
【図８】本発明に係る注射針用安全カバーにおける第五実施例の使用方法を示す部分断面図である。
【図９】本発明に係る注射針用安全カバーの第六実施例を示す部分断面図である。
【図１０】本発明に係る注射針用安全カバーの第七実施例を示す部分断面平面図である。
【発明を実施するための形態】
【００１８】
以下、添付図面を参照して本発明の好適な実施の形態を詳細に説明する。
【００１９】
図１、図２、図５、図７、図９及び図１０に示すように、本発明に係る第一実施例ないし第七実施例における注射針用安全カバーは、簡単な構造であると共に、安全性が考慮され、尚且つ再利用が防止可能なものであり、その主な構造は、本体（１０、１０Ａ、１０Ｂ、１０Ｃ、１０Ｄ、１０Ｅ）と、少なくとも１つの握持部（２０、２０Ａ、２０Ｂ、２０Ｃ、２０Ｄ、２０Ｅ）とを有する。その内、本体（１０、１０Ａ、１０Ｂ、１０Ｃ、１０Ｄ、１０Ｅ）は、中空の筒状を呈し、注射器（４０）や、静脈用注射器（５０）、頭皮用注射器（６０）、大型注射器（７０）などの注射器と結合して使用するものである（図１、図２、図６、図７の如く）。
【００２０】
前記本体（１０、１０Ａ、１０Ｂ、１０Ｃ、１０Ｄ、１０Ｅ）は、上端に形成される開口端と、下端に形成される閉鎖端と、内部に形成されると共に、該開口端と該閉鎖端との間に位置する収容空間とを備えるものである。該開口端と該閉鎖端との間の中段よりやや上部に、該本体（１０、１０Ａ、１０Ｂ、１０Ｃ）の一部を湾曲可能な曲げ部（１１、１１Ａ、１１Ｂ、１１Ｃ）が形成され（図１から図８の如く）、更に該本体（１０、１０Ｃ）に、開口端に形成される漏斗状の上部カバー（１２、１２Ｃ）が設けられる（図１、図７、図９の如く）。
【００２１】
また、図１、図２、図５、図６に示す曲げ部（１１、１１Ａ、１１Ｂ）は、前記本体（１０、１０Ａ、１０Ｂ）の一部であると共に、湾曲可能な蛇腹構造であり、一方、図７に示す曲げ部（１１Ｃ）は、該本体（１０Ｃ）の肉厚より薄い構成とすることによって、簡単に湾曲できるようにしたものである。
【００２２】
前記握持部（２０、２０Ａ、２０Ｂ、２０Ｃ、２０Ｄ、２０Ｅ）は、前記本体（１０、１０Ａ、１０Ｂ、１０Ｃ、１０Ｄ、１０Ｅ）に結合され、外端（２１１、２１１Ａ、２１１Ｂ、２１１Ｃ、２１１Ｄ、２１１Ｅ）を有すると共に、該本体（１０、１０Ａ、１０Ｂ、１０Ｃ、１０Ｄ、１０Ｅ）の開口端に形成される延出部材（２１、２１Ａ、２１Ｂ、２１Ｃ、２１Ｄ、２１Ｅ）と、手で持つための、該外端（２１１、２１１Ａ、２１１Ｂ、２１１Ｃ、２１１Ｄ、２１１Ｅ）に形成される持ち部（２２、２２Ａ、２２Ｂ、２２Ｃ、２２Ｄ、２２Ｅ）とを備えるものである。
【００２３】
本発明の第三実施例は、本体（１０Ａ）の開口端に形成される２つの握持部（２０Ａ）を備えると共に（図５の如く）、図１に示す延出部材（２１）は、該本体（１０Ａ）の上部カバー（１２）から軸方向に沿って延出し（の如く）、一方、図７に示す延出部材（２１Ｃ）は、該本体（１０Ａ）の上部カバー（１２Ｃ）から径方向に沿って延出する。
【００２４】
図９に示す握持部（２０Ｄ）は、大型の注射器が本体（１０Ｄ）に配置される時、互いの抵触を防ぐために、該本体（１０Ｄ）の開口端と延出部材（２１Ｄ）との間に形成されるものであると共に、該本体（１０Ｄ）の開口端には、径方向に沿って連結板（２３Ｄ）が延設される。一方、図１０に示す握持部（２０Ｅ）は、前記連結板（２３Ｄ）と同様の連結板（２３Ｅ）を備えるが、該連結板（２３Ｄ）とは設置箇所が異なり、本体（１０Ｅ）の開口端と閉鎖端との間の外周面に延設される。
【００２５】
図１、図２、図６、図７、図９及び図１０に示すように、医師や、看護婦、医療従事者などが、注射器（４０）、大型注射器（７０）、静脈用注射器（５０）、或いは頭皮用注射器（６０）を本発明に係る注射針用安全カバーから引き抜いて使用する時は、単に片手で握持部（２０、２０Ａ、２０Ｂ、２０Ｃ、２０Ｄ、２０Ｅ）の持ち部（２２、２２Ａ、２２Ｂ、２２Ｃ、２２Ｄ、２２Ｅ）を持ち、他方の手で注射器（４０）、大型注射器（７０）、静脈用注射器（５０）、或いは頭皮用注射器（６０）を、本体（１０、１０Ａ、１０Ｂ、１０Ｃ、１０Ｄ、１０Ｅ）から引き出すだけでよく、また、その引き出す過程においては、延出部材（２１、２１Ａ、２１Ｂ、２１Ｃ、２１Ｄ、２１Ｅ）を介して持ち部（２２、２２Ａ、２２Ｂ、２２Ｃ、２２Ｄ、２２Ｅ）を持つことから、手と注射針との間に所定の間隔を有するので、使用上、非常に安全である。
【００２６】
一方、注射が済んだ後は、同じく医師や、看護婦、医療従事者などが、握持部（２０、２０Ａ、２０Ｂ、２０Ｃ、２０Ｄ、２０Ｅ）の延出部材（２１、２１Ａ、２１Ｂ、２１Ｃ、２１Ｄ、２１Ｅ）に沿って、注射針を本体（１０、１０Ａ、１０Ｂ、１０Ｃ、１０Ｄ、１０Ｅ）の収容空間に戻して結合する。この構造によれば、例えば、該延出部材（２１、２１Ａ、２１Ｂ、２１Ｃ、２１Ｄ、２１Ｅ）と注射器のシリンダとの間に所定の間隔ができることから、不注意により手に注射針を刺してしまうことを防止できるので、安全性の向上にも繋がる。また、前記静脈用注射器（５０）においても、握持部（２０Ａ）の延出部材（２１Ａ）の内周面に沿って、本体（１０Ａ）の収容空間に戻して結合する構造であることから、該静脈用注射器（５０）の注射針と持ち部（２２Ａ）を持つ手との間に所定の間隔を有するので、不注意により手に注射針を刺してしまうことを防止できる。
【００２７】
さらに、前記本体（１０、１０Ａ、１０Ｂ、１０Ｃ）の曲げ部（１１、１１Ａ、１１Ｂ、１１Ｃ）は湾曲可能であるので、使用済み注射器を廃棄する前に、本体（１０、１０Ａ、１０Ｂ、１０Ｃ）を折り曲げることにより、注射器の注射針を９０度以上曲げて破壊し、使用できなくすることができるので、悪質な従業者の回収による再利用を防止することができる。
【００２８】
上述したように、本発明に係る注射針用安全カバーは、構成が非常に簡単であり、延出部材（２１、２１Ａ、２１Ｂ、２１Ｃ、２１Ｄ、２１Ｅ）によって、持ち部（２２、２２Ａ、２２Ｂ、２２Ｃ、２２Ｄ、２２Ｅ）を持つ手と注射針との間に間隔が設けられることから、注射器の着脱時における不注意による針刺を防止でき、さらに、使用済み注射器の注射針は、本体（１０、１０Ａ、１０Ｂ、１０Ｃ）の曲げ部（１１、１１Ａ、１１Ｂ、１１Ｃ）を折り曲げて破壊できることから、何人も一目で廃棄されたものと分かるので、注射器の再利用を防止することができる。
【産業上の利用可能性】
【００２９】
本発明は上記の構成を有するので、注射器をカバーから引き抜く時に、注射針がカバーを持つ手に刺さらなく、また、使用済み注射器の注射針を折り曲げて破壊し、再利用できなくすることができるので。注射器の使用安全性を向上させることができる。
【符号の説明】
【００３０】
１０、１０Ａ、１０Ｂ、１０Ｃ、１０Ｄ、１０Ｅ    本体
１１、１１Ａ、１１Ｂ、１１Ｃ    曲げ部
１２、１２Ｃ    上部カバー
２０、２０Ａ、２０Ｂ、２０Ｃ、２０Ｄ、２０Ｅ    握持部
２１、２１Ａ、２１Ｂ、２１Ｃ、２１Ｄ、２１Ｅ    延出部材
２１１、２１１Ａ、２１１Ｂ、２１１Ｃ、２１１Ｄ、２１１Ｅ    外端
２２、２２Ａ、２２Ｂ、２２Ｃ、２２Ｄ、２２Ｅ    持ち部
２３Ｄ、２３Ｅ    連結板
４０    注射器
５０    静脈用注射器
６０    頭皮用注射器
７０    大型注射器
【図１】
2011212375.tif 000003
【図２】
2011212375.tif 000004
【図３】
2011212375.tif 000005
【図４】
2011212375.tif 000006
【図５】
2011212375.tif 000007
【図６】
2011212375.tif 000008
【図７】
2011212375.tif 000009
【図８】
2011212375.tif 000010
【図９】
2011212375.tif 000011
【図１０】
2011212375.tif 000012